(57)【要約】【課題】移動機を紛失したときのセキュリティを向上させる。【解決手段】セキュリティ処理装置１は、充電器３からの充電電圧を検出する充電電圧検出部１２と、充電電圧を検出した場合に、現在移動機２に充電している充電器３から識別情報を取得してこの識別情報を比較識別情報として記憶部１１に記憶させる識別情報要求部１３と、記憶部１１に記憶された登録識別情報と比較識別情報とを読み出して、一致するか否かを比較判定する識別情報比較判定部１４と、登録識別情報と比較識別情報とが不一致であると判定された場合に、セキュリティ処理を実行するセキュリティ処理部１５とを備える。【選択図】図１
2008187689.tif 000002
【特許請求の範囲】
【請求項１】
移動機に搭載されるセキュリティ処理装置において、
予め登録されている登録情報を記憶する記憶部と、
充電器からの充電電圧を検出する充電電圧検出部と、
前記充電電圧検出部で充電電圧を検出した場合に、前記登録情報と外部から取得した比較情報とを比較判定する情報比較判定部と、
前記情報比較判定部が不一致と判定した場合に、所定のセキュリティ処理を行うセキュリティ処理部とを有することを特徴とするセキュリティ処理装置。
【請求項２】
前記登録情報は、充電器を特定するための登録識別情報であり、
前記比較情報は、現在充電している充電器を特定するための比較識別情報であることを特徴とする請求項１に記載のセキュリティ処理装置。
【請求項３】
充電器に前記比較識別情報を送信するように要求する識別情報要求部を更に有することを特徴とする請求項２に記載のセキュリティ処理装置。
【請求項４】
前記登録情報は、前記移動機が充電する位置を特定するための登録位置情報であり、
前記比較情報は、前記移動機の現在位置を特定するための比較位置情報であることを特徴とする請求項１に記載のセキュリティ処理装置。
【請求項５】
外部から前記比較位置情報を取得する位置情報取得部を更に有することを特徴とする請求項４に記載のセキュリティ処理装置。
【請求項６】
前記情報比較判定部は、前記比較位置情報の位置が前記登録位置情報の位置から所定距離の範囲内にあれば、一致と判定することを特徴とする請求項４または５に記載の移動機のセキュリティ処理装置。
【請求項７】
前記所定のセキュリティ処理は、前記移動機をロック状態とする処理であることを特徴とする請求項１〜６に記載の移動機のセキュリティ処理装置。
【請求項８】
前記所定のセキュリティ処理は、前記移動機の現在位置情報を所定の宛先に送信する処理であることを特徴とする請求項１〜７に記載の移動機のセキュリティ処理装置。
【請求項９】
移動機のセキュリティ処理方法において、
充電器からの充電電圧を検出する充電電圧検出ステップと、
前記充電電圧検出ステップで充電電圧を検出した場合に、予め登録されている登録情報と外部から取得した比較情報とを比較判定する位置情報比較判定ステップと、
前記位置情報比較判定ステップで不一致と判定した場合に、所定のセキュリティ処理を行うセキュリティ処理ステップとを有することを特徴とするセキュリティ処理装置。
【請求項１０】
移動機と充電器とを有するセキュリティ処理システムにおいて、
前記充電器は、
自充電器の識別情報が記憶されている記憶部と、
前記移動機からの要求に基づいて前記識別情報を前記移動機に送出する送出部とを有し、
前記移動機は、
予め登録されている充電器を特定するための登録識別情報を記憶する記憶部と、
前記充電器からの充電電圧を検出する充電電圧検出部と、
前記充電器から前記識別情報を取得する識別情報取得部と、
前記充電電圧検出部で充電電圧を検出した場合に、前記登録識別情報と前記識別情報取得部で取得した前記識別情報とを比較判定する情報比較判定部と、
前記情報比較判定部が不一致と判定した場合に、所定のセキュリティ処理を行うセキュリティ処理部とを有することを特徴とするセキュリティ処理システム。
【発明の詳細な説明】
【技術分野】
【０００１】
本発明は、セキュリティ処理装置、セキュリティ処理方法およびセキュリティ処理システムに関する。
【背景技術】
【０００２】
従来、携帯電話などの移動機のセキュリティ処理として、ダイヤル等の操作をロックするロック処理が知られている。一端ロック処理が為されると、正確なパスワードを入力しない限りダイヤル入力などの操作が行えなくなる。
【０００３】
さらに、携帯電話の拾得者による不正利用を防止するため、携帯電話を紛失した利用者から連絡を受けた携帯電話会社が、当該携帯電話に対してロック処理を行う方法が知られている。（例えば特許文献１参照）。
【特許文献１】特開２００２−１１８８７６号公報
【発明の開示】
【発明が解決しようとする課題】
【０００４】
しかしながら、上述した従来の技術では、紛失した携帯電話のロック処理を行うためには、利用者が携帯電話会社に連絡する必要があった。そのため、このようなロック処理の方法を知らない場合、ロック処理の方法を知っていても携帯電話会社の電話番号を知らない場合、携帯電話を紛失したことに気付かない場合などは、携帯電話のロック処理が行われず、悪意ある取得者により無断で使用されるといった問題があった。
【０００５】
そこで、本発明は、上述した課題を解決するために、移動機を紛失したときのセキュリティを向上させることができるセキュリティ処理装置、セキュリティ処理方法およびセキュリティ処理プログラムを提供することを目的とする。
【課題を解決するための手段】
【０００６】
本発明は、移動機に搭載されるセキュリティ処理装置において、予め登録されている登録情報を記憶する記憶部と、充電器からの充電電圧を検出する充電電圧検出部と、充電電圧検出部で充電電圧を検出した場合に、登録情報と外部から取得した比較情報とを比較判定する情報比較判定部と、情報比較判定部が不一致と判定した場合に、所定のセキュリティ処理を行うセキュリティ処理部とを有することを特徴とする。
【０００７】
また、本発明は、移動機のセキュリティ処理方法において、充電器からの充電電圧を検出する充電電圧検出ステップと、充電電圧検出ステップで充電電圧を検出した場合に、予め登録されている登録情報と外部から取得した比較情報とを比較判定する位置情報比較判定ステップと、位置情報比較判定ステップで不一致と判定した場合に、所定のセキュリティ処理を行うセキュリティ処理ステップとを有することを特徴とする。
【０００８】
これらの発明によれば、充電電圧を検出すると、外部から取得した比較情報と予め登録されている登録情報とを比較判定し、これらが不一致である場合は、移動機のセキュリティ処理を行う。つまり、充電電池により作動する移動機においては、所定期間内に必ず充電を行わなければならないため、この充電のタイミングを契機として自動的に移動機のセキュリティ処理を行うことができる。そのため、移動機を紛失したときのセキュリティを向上させることが可能となる。
【０００９】
また、上記登録情報は、充電器を特定するための登録識別情報であり、比較情報は、現在充電している充電器を特定するための比較識別情報であることが好ましく、充電器に前記比較識別情報を送信するように要求する識別情報要求部を更に有することが好ましい。この発明によれば、所定の充電器を特定するための登録識別情報を予め登録しておくことで、他の充電器で充電された場合には移動機のセキュリティ処理が行われるので、移動機を紛失したときのセキュリティを向上させることが可能となる。
【００１０】
また、上記登録情報は、移動機が充電する位置を特定するための登録位置情報であり、比較情報は、移動機の現在位置を特定するための比較位置情報であることが好ましい。この発明によれば、移動機が充電される特定の場所を登録位置情報として予め登録しておくことで、他の場所で充電された場合は移動機のセキュリティ処理が行われるので、移動機を紛失したときのセキュリティを向上させることが可能となる。
【００１１】
この場合、外部から比較位置情報を取得する位置情報取得部を更に有することが好ましい。この発明によれば、移動機の現在位置を客観的に特定することができる。更に、基地局から比較位置情報を取得する場合や、ＧＰＳにより比較位置情報を取得する場合は、それぞれ基地局やＧＰＳが管理できる最小領域毎に移動機の現在位置を特定することができるため、紛失した移動機の探査を容易にすることができる。
【００１２】
また、上記情報比較判定部は、比較位置情報の位置が登録位置情報の位置から所定距離の範囲内にあれば、一致と判定することが好ましい。この発明によれば、登録位置情報の位置から所定距離の範囲内ではセキュリティ処理が行われなくなる。したがって、例えば、家の中や家の周り１００ｍ区内などのように、利用者が充電する位置に多少の許容範囲をもたせることができ、移動機の利便性を向上させることができる。
【００１３】
また、上記所定のセキュリティ処理は、移動機をロック状態とする処理であることが好ましい。この発明によれば、セキュリティ処理が行われると移動機の操作が行えなくなるため、拾得者による不正利用を防止することができる。
【００１４】
また、上記所定のセキュリティ処理は、移動機の現在位置情報を所定の宛先に送信する処理であることが好ましい。この発明によれば、紛失等した移動機の場所を知ることができるため、この移動機を容易に探し出すことができる。
【００１５】
本発明は、移動機と充電器とを有するセキュリティ処理システムにおいて、移動機と充電器とを有する移動機のセキュリティ処理システムにおいて、充電器は、自充電器の識別情報が記憶されている記憶部と、移動機からの要求に基づいて識別情報を移動機に送出する送出部とを有し、移動機は、予め登録されている充電器を特定するための登録識別情報を記憶する記憶部と、充電器からの充電電圧を検出する充電電圧検出部と、充電器から識別情報を取得する識別情報取得部と、充電電圧検出部で充電電圧を検出した場合に、登録識別情報と識別情報取得部で取得した識別情報とを比較判定する情報比較判定部と、情報比較判定部が不一致と判定した場合に、所定のセキュリティ処理を行うセキュリティ処理部とを有することを特徴とする。
【００１６】
この発明によれば、移動機で充電器からの充電電圧を検出すると、充電器に対して識別情報の要求を行い、充電器はこの要求を受けて移動機に対して記憶部に記憶されている識別情報を送出する。そして、移動機では、充電器から取得した識別情報と登録識別情報とを比較判定し、これらが不一致である場合は、移動機のセキュリティ処理を行う。つまり、充電電池により作動する移動機においては、所定期間内に必ず充電を行わなければならないため、この充電のタイミングを契機として自動的に移動機のセキュリティ処理を行うことができる。そのため、移動機を紛失したときのセキュリティを向上させることが可能となる。
【発明の効果】
【００１７】
本発明に係るセキュリティ処理装置、セキュリティ処理方法およびセキュリティ処理システムによれば、移動機を紛失したときのセキュリティを向上させることができる。
【発明を実施するための最良の形態】
【００１８】
以下、本発明に係るセキュリティ処理装置、セキュリティ処理方法およびセキュリティ処理システムの実施形態を図面に基づき説明する。
【００１９】
図１は、第１の実施形態におけるセキュリティ処理装置およびセキュリティ処理システムを構成する移動機の機能構成を例示する機能構成図である。図１に示すように、移動機２のセキュリティ処理装置１は、機能的には、記憶部１１と、充電電圧検出部１２と、識別情報要求部１３と、識別情報比較判定部(比較判定部)１４と、セキュリティ処理部１５とを備える。このセキュリティ処理部１５は、ロック処理部１５１と、位置情報送信部１５２とを備える。
【００２０】
図２は、セキュリティ処理装置１のハードウェア構成図である。図２に示すように、セキュリティ処理装置１は、物理的には、ＣＰＵ１０１と、ＲＯＭ１０２と、ＲＡＭ１０３と、充電端子１０４と、通信装置１０５と、入力デバイスであるキー操作部１０６と、出力デバイスであるディスプレイ１０７などを含むコンピュータシステムとして構成されており、所定のコンピュータソフトウェアをインストールすることによって図１に示す各機能要素の機能が実現される。
【００２１】
図３は、第１の実施形態におけるセキュリティ処理システムを構成する充電器の機能構成を例示する機能構成図である。図３に示すように、充電器３には、記憶部３１と、終端検出部３２と、識別情報要求判定部３３と、識別情報送出部（送出部）３４とを備える。
【００２２】
以下、図１〜図３を参照して、セキュリティ処理装置１、セキュリティ処理方法およびセキュリティ処理システムの各機能要素について詳細に説明する。
【００２３】
まず、充電器３の各機能要素について説明する。
【００２４】
記憶部３１には、充電器３を一意に特定するための製造番号などの識別情報が記憶されている。この識別情報は、例えば“１２３４５６７８９”などの番号だけの情報や、“ａｂｃｄｅｆ１２３”などのアルファベットと数字とを組み合わせた情報として構成され、書き換え不能となるように記憶部３１に記憶される。
【００２５】
終端検出部３２は、移動機２に接続される充電端子（不図示）が終端しているかを検出するものであり、充電端子に移動機２の充電端子１０４が接続されることにより、終端が検出される。
【００２６】
識別情報要求判定部３３は、終端検出部３２で終端を検出した後、充電している移動機２から識別情報要求を受けたか否かを判定する。
【００２７】
識別情報送出部３４は、現在充電している移動機２からの要求に基づいて、記憶部３１に記憶されている識別情報を読み出し、この識別情報を移動機２に送出する。
【００２８】
次に、移動機２におけるセキュリティ処理装置１の各機能要素について説明する。
【００２９】
記憶部１１には、移動機２とペアリングされた充電器３を一意に特定するための製造番号などの登録識別情報が記憶されている。この登録識別情報は、予め登録される充電器３の識別情報であり、移動機２の出荷前に記憶部１１に記憶されている。
【００３０】
充電電圧検出部１２は、移動機２に接続された充電器３からの充電電圧を検出する。充電器３は移動機２の充電端子１０４に接続されて、移動機２内の充電池（不図示）が充電され、この充電端子１０４と充電地との間に公知の電圧検出回路（素子）を設けることで、充電電圧を検出することができる。
【００３１】
識別情報要求部１３は、充電電圧検出部１２で充電電圧を検出した場合に、移動機２に接続された充電器３に対して識別情報を送信するように要求する。識別情報要求部１３は、充電器３の識別情報を取得すると、この識別情報を比較識別情報として記憶部１１に記憶させる。なお、識別情報要求部１３は、所定時間内に識別情報を取得できない場合は、記憶部１１に何も記憶させない。
【００３２】
識別情報比較判定部１４は、充電電圧検出部１２で充電電圧を検出した場合に、記憶部１１から登録識別情報と比較識別情報とを読み出して、一致するか否かを比較判定する。なお、記憶部１１に比較識別情報が記憶されておらず比較識別情報が読み出せない場合は、不一致と判定する。
【００３３】
セキュリティ処理部１５は、ロック処理部１５１と、位置情報送信部１５２とにより構成されており、識別情報比較判定部１４で不一致と判定した場合に、移動機２のセキュリティ処理を行う。
【００３４】
ロック処理部１５１は、移動機２のダイヤルなどの操作を禁止するロック処理を行う。
【００３５】
位置情報送信部１５２は、基地局に対して移動機２の現在位置情報を送信するように要求し、基地局から送られてきた移動機２の現在位置情報を所定の宛先に送信する。ここで、所定の宛先を、利用者やセキュリティ会社等の電子メールアドレスとすることで、利用者やセキュリティ会社は移動機２の現在位置を知ることができる。
【００３６】
次に、図４を参照して、第１の実施形態におけるセキュリティ処理装置１、セキュリティ処理方法およびセキュリティ処理システムを構成する移動機２の動作について説明する。
【００３７】
まず、移動機２のセキュリティ処理装置１は、充電電圧検出部１２において充電器３からの充電電圧を検出したか否かを判定する（ステップＳ１）。この判定がＮＯである場合（ステップＳ１；ＮＯ）に、セキュリティ処理装置１は、処理を終了する。ステップＳ１の判定において、充電電圧を検出したと判定された場合（ステップＳ１；ＹＥＳ）に、セキュリティ処理装置１は、後述する識別情報要求処理を実行する（ステップＳ２）。
【００３８】
次に、セキュリティ処理装置１は、記憶部１１に記憶された登録識別情報と比較識別情報とを読み出して、一致するか否かを比較判定する（ステップＳ３）。この判定がＹＥＳである場合（ステップＳ３；ＹＥＳ）に、セキュリティ処理装置１は、処理を終了する。
【００３９】
一方、ステップＳ３の判定において、登録識別情報と比較識別情報とが不一致であると判定された場合（ステップＳ３；ＮＯ）に、セキュリティ処理装置１は、後述するセキュリティ処理を実行する（ステップＳ４）。そして、セキュリティ処理装置１は、ステップＳ４のセキュリティ処理が終了すると、処理を終了する。
【００４０】
次に、図５を参照して、上述した識別情報要求処理の動作について詳細に説明する。
【００４１】
まず、セキュリティ処理装置１の識別情報要求部１３は、充電器３に対して識別情報要求を送信し、充電器３が識別情報をセキュリティ処理装置１に送信するように要求する（ステップＳ２１）。次に、識別情報要求部１３は、タイマをセットする（ステップＳ２２）。
【００４２】
次に、識別情報要求部１３は、充電器３から識別情報を取得したか否かを判定する（ステップＳ２３）。この判定がＮＯである場合（ステップＳ２３；ＮＯ）に、識別情報要求部１３は、タイムオーバか否かを判定する（ステップＳ２４）。この判定がＹＥＳである場合（ステップＳ２４；ＹＥＳ）に、識別情報要求部１３は、識別情報要求処理を終了する。ステップＳ２４の判定において、タイムオーバでないと判定する場合（ステップＳ２４；ＮＯ）に、識別情報要求部１３は、再度ステップＳ２３に戻り、充電器３から識別情報を取得したか否かを判定する。
【００４３】
一方、上述したステップＳ２３の判定において、充電器３から識別情報を取得したと判定する場合（ステップＳ２３；ＹＥＳ）に、識別情報要求部１３は、この充電器３から取得した識別情報を比較位置情報として記憶部１１に記憶させる（ステップＳ２５）。そして、識別情報要求部１３は、識別情報要求処理を終了する。
【００４４】
次に、図６を参照して、上述したセキュリティ処理の動作について詳細に説明する。
【００４５】
まず、セキュリティ処理部１５のロック処理部１５１は、移動機２に対してロック処理を実行する（ステップＳ４１）。
【００４６】
次に、セキュリティ処理部１５の位置情報送信部１５２は、基地局に対して移動機２の現在位置情報を送信するように要求する（ステップＳ４２）。位置情報送信部１５２は、基地局から移動機２の現在位置情報を取得すると、設定アドレスに対して移動機２の現在位置情報を送信する（ステップＳ４３）。そして、セキュリティ処理部１５は、セキュリティ処理を終了する。
【００４７】
次に、図７を参照して、第１の実施形態におけるセキュリティ処理システムを構成する充電器の動作について詳細に説明する。
【００４８】
まず、充電器３の終端検出部３２は、アイドル状態のときに（ステップＳ１００）、充電端子の終端を検出したか否かを判定する（ステップＳ１０１）。この判定がＮＯである場合（ステップＳ１０１；ＮＯ）に、充電器３は、ステップＳ１００に戻り、アイドル状態となる。
【００４９】
一方、上述したステップＳ１０１の判定において、終端を検出したと判定した場合（ステップＳ１０１；ＹＥＳ）に、充電器３の識別情報要求判定部３３は、移動機２から識別情報の要求を受信したか否かを判定する（ステップＳ１０２）。この判定がＮＯである場合（ステップＳ１０２；ＮＯ）に、充電器３は、ステップＳ１００に戻り、アイドル状態となる。
【００５０】
一方、上述したステップＳ１０２の判定において、識別情報の要求を受信したと判定した場合（ステップＳ１０２；ＹＥＳ）に、充電器３の識別情報送出部３４は、移動機２に対して記憶部３１に記憶されている識別情報を送出する（ステップＳ１０３）。そして、充電器３は、識別情報を送出すると、ステップＳ１００に戻り、アイドル状態となる。
【００５１】
以上説明したように、第１の実施形態に係るセキュリティ処理装置１、セキュリティ処理方法およびセキュリティ処理システムによれば、移動機２の充電のタイミングを契機として、自動的に移動機２のセキュリティ処理を行うことができる。そのため、移動機２を紛失したときのセキュリティを向上させることが可能となる。
【００５２】
また、第１の実施形態に係るセキュリティ処理装置１、セキュリティ処理方法およびセキュリティ処理システムによれば、登録識別情報を予め登録してセキュリティ処理装置１の記憶部１１に記憶させておくことで、ペアリングされた移動機２以外の充電器で充電された場合にはセキュリティ処理が行われるので、移動機２を紛失したときのセキュリティを向上させることが可能となる。
【００５３】
また、第１の実施形態に係るセキュリティ処理装置１、セキュリティ処理方法およびセキュリティ処理システムによれば、基地局から移動機２の現在位置情報を取得することで、基地局が管理できる最小領域毎に移動機２の現在位置を特定することができるため、紛失した移動機の探査を容易にすることができる。
【００５４】
また、第１の実施形態に係るセキュリティ処理装置１、セキュリティ処理方法およびセキュリティ処理システムによれば、セキュリティ処理においてロック処理部１５１が移動機２に対してロック処理を実行することで、移動機２の操作が行えなくなるため、拾得者による不正利用を防止することができる。
【００５５】
また、第１の実施形態に係るセキュリティ処理装置１、セキュリティ処理方法およびセキュリティ処理システムによれば、位置情報送信部１５２が移動機２の現在位置情報を所定の宛先に送信するため、紛失等した移動機の場所を知ることができるため、この移動機を容易に探し出すことができる。
【００５６】
次に、第２の実施形態におけるセキュリティ処理装置、セキュリティ処理方法およびセキュリティ処理システムについて説明する。
【００５７】
第２の実施形態は、基本的に第１の実施形態と同様である。第２の実施形態が第１の実施形態と異なる点は、登録識別情報および比較識別情報が登録位置情報および比較位置情報に変更された点と、セキュリティ処理装置において、識別情報要求部１３、識別情報比較判定部１４及び位置情報送信部１５２が変更された点と、充電器３の代わりに一般的な充電器を用いる点である。
【００５８】
図８は、第２の実施形態におけるセキュリティ処理装置およびセキュリティ処理方法の機能構成を例示する機能構成図である。図８に示すように、移動機７のセキュリティ処理装置６は、機能的には、記憶部６１と、充電電圧検出部６２と、位置情報取得部６３と、位置情報比較判定部(比較判定部)６４と、セキュリティ処理部６５とを備える。このセキュリティ処理部６５には、ロック処理部６５１と、位置情報送信部６５２とを備える。
【００５９】
次に、移動機７におけるセキュリティ処理装置６の各機能要素について説明する。
【００６０】
記憶部６１には、移動機７が充電する位置を特定するための登録位置情報（ホームロケーション）が記憶されている。この位置情報は、例えば“緯度○○度○○分○○秒  経度××度××分××秒”などの緯度経度情報により構成されている。この登録位置情報は、予め登録される情報であり、移動機７の出荷前に記憶部６１に記憶されている。
【００６１】
位置情報取得部６３は、充電電圧検出部６２で充電電圧を検出した場合に、基地局に対して移動機７の現在位置情報を送信するように要求する。位置情報取得部６３は、基地局から移動機７の現在位置情報を取得すると、この現在位置情報を比較位置情報として記憶部６１に記憶させる。なお、位置情報取得部６３は、所定時間内に現在位置情報を取得できない場合は、記憶部６１に何も記憶させない。また、位置情報取得部６３は、記憶部６１に登録位置情報が記憶されていないと判定した場合、ユーザの承認を待って、基地局から取得した現在位置情報を登録位置情報として、記憶部６１に記憶させる。
【００６２】
位置情報比較判定部６４は、充電電圧検出部６２で充電電圧を検出した場合に、記憶部６１から登録位置情報と比較位置情報とを読み出して、一致するか否かを比較判定する。このとき、比較位置情報が示す位置が、登録位置情報が示す位置から所定距離の範囲内にあれば、一致と判定する。例えば、家の中で充電を行う位置を変える場合などが考えられるため、充電すると予想される範囲を予め定めておき、一致と判定する範囲を所定距離の範囲内まで許容する。なお、記憶部６１に比較位置情報が記憶されておらず比較位置情報が読み出せない場合は、不一致と判定する。
【００６３】
位置情報送信部６５２は、記憶部６１に記憶されている比較位置情報を読み出し、所定の宛先に送信する。ここで、所定の宛先を、利用者やセキュリティ会社等の電子メールアドレスとすることで、利用者やセキュリティ会社は移動機２の現在位置を知ることができる。
【００６４】
次に、図９を参照して、第２の実施形態におけるセキュリティ処理装置６及びセキュリティ処理方法の動作について説明する。
【００６５】
まず、移動機７のセキュリティ処理装置６は、充電電圧検出部６２において充電器からの充電電圧を検出したか否かを判定する（ステップＳ６）。この判定がＮＯである場合（ステップＳ６；ＮＯ）に、セキュリティ処理装置６は、処理を終了する。ステップＳ６の判定において、充電電圧を検出したと判定された場合（ステップＳ６；ＹＥＳ）に、セキュリティ処理装置６は、後述する位置情報取得処理を実行する（ステップＳ７）。
【００６６】
次に、セキュリティ処理装置６は、記憶部６１に記憶された登録位置情報と比較位置情報とを読み出して、一致するか否かを比較判定する（ステップＳ８）。この判定がＹＥＳである場合（ステップＳ８；ＹＥＳ）に、セキュリティ処理装置６は、セキュリティ処理を終了する。
【００６７】
一方、ステップＳ８の判定において、登録位置情報と比較位置情報とが不一致であると判定された場合（ステップＳ８；ＮＯ）に、セキュリティ処理装置６は、後述するセキュリティ処理を実行する（ステップＳ９）。そして、セキュリティ処理装置６は、ステップＳ９のセキュリティ処理が終了すると、処理を終了する。
【００６８】
次に、図１０を参照して、上述した位置情報取得処理の動作について詳細に説明する。
【００６９】
まず、セキュリティ処理装置６の位置情報取得部６３は、基地局に対して移動機７の現在位置情報を送信するように要求する（ステップＳ７１）。次に、位置情報取得部６３は、タイマをセットする（ステップＳ７２）。
【００７０】
次に、位置情報取得部６３は、基地局から移動機７の現在位置情報を取得したか否かを判定する（ステップＳ７３）。この判定がＮＯである場合（ステップＳ７３；ＮＯ）に、位置情報取得部６３は、タイムオーバか否かを判定する（ステップＳ７４）。この判定がＹＥＳである場合（ステップＳ７４；ＹＥＳ）に、位置情報取得部６３は、位置情報取得処理を終了する。ステップＳ７４の判定において、タイムオーバでないと判定する場合（ステップＳ７４；ＮＯ）に、位置情報取得部６３は、再度ステップＳ７３に戻り、基地局から移動機７の現在位置情報を取得したか否かを判定する。
【００７１】
一方、上述したステップＳ７３の判定において、基地局から移動機７の現在位置情報を取得したと判定する場合（ステップＳ７３；ＹＥＳ）に、位置情報取得部６３は、基地局から取得した移動機７の現在位置情報を比較位置情報として記憶部６１に記憶させる（ステップＳ７５）。
【００７２】
次に、位置情報取得部６３は、記憶部に登録位置情報が記憶されているか否かを判定する（ステップＳ７６）。この判定がＹＥＳの場合（ステップＳ７６ＹＥＳ）に、位置情報取得部６３は、位置情報取得処理を終了する。
【００７３】
一方、上述したステップＳ７６の判定において、記憶部６１に登録位置情報が記憶されていないと判定した場合（ステップＳ７６：ＮＯ）に、位置情報取得部６３は、ディスプレイ１０７に登録位置情報の登録確認を表示させる（ステップＳ７７）。次に、位置情報取得部６３は、タイマをセットする（ステップＳ７８）。
【００７４】
次に、位置情報取得部６３は、キー操作部１０７から入力される情報から、登録位置情報の登録確認がユーザから承認されたか否かを判定する（ステップＳ７９）。この判定がＮＯである場合（ステップＳ７９；ＮＯ）に、位置情報取得部６３は、タイムオーバか否かを判定する（ステップＳ８０）。この判定がＹＥＳである場合（ステップＳ８０；ＹＥＳ）に、位置情報取得部６３は、位置情報取得処理を終了する。ステップＳ８０の判定において、タイムオーバでないと判定する場合（ステップＳ８０；ＮＯ）に、位置情報取得部６３は、再度ステップＳ７９に戻り、登録位置情報の登録確認がユーザから承認されたか否かを判定する。
【００７５】
一方、上述したステップＳ７９の判定において、登録位置情報の登録確認がユーザから承認されたと判定した場合（ステップＳ７９；ＹＥＳ）に、位置情報取得部６３は、基地局から取得した移動機７の現在位置情報を登録位置情報として記憶部６１に記憶させる（ステップＳ８１）。そして、位置情報取得部６３は、位置情報取得処理を終了する。
【００７６】
次に、図１１を参照して、上述したセキュリティ処理の動作について詳細に説明する。
【００７７】
まず、セキュリティ処理部６５のロック処理部６５１は、移動機２に対してロック処理を実行する（ステップＳ９１）。
【００７８】
次に、セキュリティ処理部６５の位置情報送信部６５２は、設定アドレスに対して記憶部６１に記憶されている比較位置情報を送信する（ステップＳ９２）。そして、セキュリティ処理装置６５は、セキュリティ処理を終了する。
【００７９】
以上説明したように、第２の実施形態に係るセキュリティ処理装置６およびセキュリティ処理方法によれば、移動機７が充電される特定の場所を登録位置情報として予め登録しておき、この登録位置情報と基地局から取得した比較位置情報とを比較判定することで、他の場所で充電された場合にはセキュリティ処理が行われるので、移動機７を紛失したときのセキュリティを向上させることが可能となる。
【００８０】
また、第２の実施形態に係るセキュリティ処理装置６およびセキュリティ処理方法によれば、基地局から移動機７の現在位置情報を取得することで、基地局が管理できる最小領域毎に移動機の現在位置を特定することができるため、紛失した移動機の探査を容易にすることができる。
【００８１】
また、第２の実施形態に係るセキュリティ処理装置６およびセキュリティ処理方法によれば、比較位置情報の位置が登録位置情報の位置から所定距離の範囲内にあれば位置情報比較判定部６４が一致と判定し、セキュリティ処理を行わせないため、例えば、家の中や家の周り１００ｍ区内などのように、利用者が充電する位置に多少の許容範囲をもたせることができ、移動機７の利便性を向上させることができる。
【００８２】
以上、本発明をその実施形態に基づき具体的に説明したが、本発明は上記実施形態に限定されるものではなく、例えば、上記第１の実施形態（第２の実施形態）においては、出荷前に、移動機２（移動機７）の記憶部１１（記憶部６１）に登録識別情報（登録位置情報）を記憶しておくように説明したが、登録識別情報（登録位置情報）の記憶時期は特に限定されるものではなく、例えば、移動機２（移動機７）の利用者によって適宜新規登録又は登録変更できるように、移動機２（移動機７）の出荷後に記憶又は変更できるようにしても良い。
【００８３】
また、上記実施形態では、ロック処理は、ダイヤルなどの操作を禁止することを例示して説明したが、所定データの閲覧の禁止や、電子マネーの無線通信などの禁止など、移動機の各種機能の禁止処理を適宜選択又は組み合わせて行っても良い。
【００８４】
また、上記実施形態では、基地局から移動機の現在位置情報を取得するように説明したが、移動機の現在位置情報の取得元は特に限定されるものではなく、例えば、ＧＰＳにより取得しても良い。
【００８５】
また、上記実施形態では、移動機に登録位置情報が登録されていない場合が想定されるため、位置情報取得処理（ステップＳ７）において、登録位置情報（ホームロケーション）の登録処理を行うように説明したが、この登録位置情報の登録処理は特に設けなくてもよく、また、他のタイミングで登録位置情報の登録処理を行っても良い。
【図面の簡単な説明】
【００８６】
【図１】第１の実施形態におけるセキュリティ処理装置の機能構成を例示する図である。
【図２】セキュリティ処理装置のハードウェア構成を例示するブロック図である。
【図３】第１の実施形態における充電器の機能構成を例示する図である。
【図４】第１の実施形態のセキュリティ処理装置における動作を説明するためのフローチャートである。
【図５】識別情報要求処理について説明するためのフローチャートである。
【図６】セキュリティ処理について説明するためのフローチャートである。
【図７】第１の実施形態における充電器の動作を説明するためのフローチャートである。
【図８】第２の実施形態におけるセキュリティ処理装置の機能構成を例示する図である。
【図９】第２の実施形態のセキュリティ処理装置における動作を説明するためのフローチャートである。
【図１０】位置情報取得処理について説明するためのフローチャートである。
【図１１】セキュリティ処理について説明するためのフローチャートである。
【符号の説明】
【００８７】
１，６・・・セキュリティ処理装置、１１，６２・・・記憶部、１２，６３・・・充電電圧検出部、１３・・・識別情報要求部（情報要求部）、１４・・・識別情報比較判定部、１５，６５・・・セキュリティ処理部、１５１，６５１・・・ロック処理部、１５２，６５２・・・位置情報送信部、２，７・・・移動機、３・・・充電器、３１・・・記憶部、３４・・・識別情報送出部(送出部)、６３・・・位置情報取得部、６４・・・位置情報比較判定部（比較判定部）。
【図１】
2008187689.tif 000003
【図２】
2008187689.tif 000004
【図３】
2008187689.tif 000005
【図４】
2008187689.tif 000006
【図５】
2008187689.tif 000007
【図６】
2008187689.tif 000008
【図７】
2008187689.tif 000009
【図８】
2008187689.tif 000010
【図９】
2008187689.tif 000011
【図１０】
2008187689.tif 000012
【図１１】
2008187689.tif 000013